(57)【要約】【課題】封緘作業の手間を減らす。【解決手段】包装箱１０は、筒状の周壁１５と、周壁１５の開口１６を塞ぐ蓋２５と、周壁１５に対して蓋２５を閉状態にロックするロック部４５及びロック片６０とを備える。ロック部４５は、貫通孔４６と、貫通孔４６の縁から延在するスリット４７と、スリット４７の一側に隣り合う第１壁部４８と、スリット４７の他側に隣り合う第２壁部５１とを有する。ロック片６０は、貫通孔４６を貫通して周壁１５の内側に配置された差込部６１ｃを有する本体６１と、差込部６１ｃから突出し、スリット４７を通して周壁１５の内側に配置されて、第１壁部４８又は第２壁部５１に係止する係止部６５とを有する。【選択図】図２Ａ
2020196505.tif 000002
【特許請求の範囲】
【請求項１】
軸方向の一方側の端に開口が画定された筒状の周壁と、
前記開口を塞ぐ蓋と、
前記周壁に対する閉状態に前記蓋をロックするロック部及びロック片と
を備え、
前記ロック部は、
第１方向へ貫通する貫通孔と、
前記貫通孔の縁から前記第１方向と交差する第２方向へ延在するスリットと、
前記第１方向及び前記第２方向と交差する第３方向において前記スリットの一側に隣り合う第１壁部と、
前記第３方向において前記スリットの他側に隣り合う第２壁部と
を有し、
前記ロック片は、
前記貫通孔を貫通して前記周壁の内側に配置された差込部を有する本体と、
前記第２方向において前記スリットが延在する向きへ前記差込部から突出し、前記スリットを通して前記周壁の内側に配置されて、前記第１壁部又は前記第２壁部に係止する係止部と
を有する、包装箱。
【請求項２】
前記周壁及び前記蓋のうちの一方に第１折曲部を介して連設され、前記周壁及び前記蓋のうちの他方の内側に重ねて配置された重畳片を備え、
前記ロック部は前記重畳片に設けられ、前記ロック片は前記周壁及び前記蓋のうちの前記他方に設けられている、請求項１に記載の包装箱。
【請求項３】
前記ロック部を含む前記重畳片は前記蓋に連設され、
前記ロック片は前記重畳片が内側に配置される前記周壁の第１部分に設けられている、請求項２に記載の包装箱。
【請求項４】
前記蓋は、前記周壁の前記第１部分以外の第２部分の前記一方側の端に第２折曲部を介して連設されている、請求項３に記載の包装箱。
【請求項５】
前記スリットは、前記周壁及び前記蓋のうちの前記他方によって塞がれている、請求項２から４のいずれか１項に記載の包装箱。
【請求項６】
前記ロック部は、前記貫通孔の縁から前記第３方向へ突出し、前記貫通孔を貫通した前記差込部を付勢する付勢片を有する、請求項１から５のいずれか１項に記載の包装箱。
【請求項７】
前記付勢片は、前記第２方向において前記第１壁部と隣り合う第１部分と、前記第２方向において前記第２壁部と隣り合う第２部分とを有する、請求項６に記載の包装箱。
【請求項８】
前記付勢片は、前記貫通孔の縁において前記蓋側に位置する部分に設けられている、請求項３を引用する請求項６に記載の包装箱。
【請求項９】
前記ロック部は、前記貫通孔の縁において前記付勢片とは反対側に位置する部分に設けられ、前記付勢片の方に突出する突出片を有し、
前記付勢片側に位置する前記突出片の先端は、前記スリットに対して前記付勢片の先端側に位置する、請求項６から８のいずれか１項に記載の包装箱。
【請求項１０】
前記本体は、前記第２方向に間隔をあけて配置されて前記第３方向へそれぞれ延びる一対のスリットによって区画された可動部を有し、
前記差込部は前記可動部の先端に設けられている、請求項１から９のいずれか１項に記載の包装箱。
【発明の詳細な説明】
【技術分野】
【０００１】
本発明は、包装箱に関する。
【背景技術】
【０００２】
特開平１１−２４５９４０号公報（特許文献１）に開示されているように、従来の包装箱としては、紙製の段ボールで形成されたものがある。この包装箱は、一対の側板と、両側板の前端部に連設された前板と、両側板の後端部に連設された後板と、後板の上端部に回動可能に連設された蓋とを備えている。この蓋は、両側板、前板及び後板の各上端部で画定された周壁の開口を塞ぐ。
【０００３】
前板の上端部には、平板形状の係止片が連設されている。係止片は、係止片本体及び係止部から構成されている。係止部は、係止片本体において周壁内に差し込まれた差込部の両側端に折曲線を介して連設されている。
【０００４】
蓋の差込部側（後板とは反対側の端部）には、挿入片が連設されている。挿入片には、貫通孔が設けられている。この貫通孔には、係止片本体が貫通される。また、貫通孔の左右方向の寸法（長さ）は、係止片本体の差込部の左右方向の寸法（幅）と一致している。
【０００５】
このような構成の包装箱を封緘する場合、まず、挿入片が前板の上端部に近づくように蓋を回動させて、蓋を閉じる。このとき、前板の上端部の内側に、挿入片を挿入する。そして、係止部を折曲線に沿って折り曲げて、係止片本体の差込部と係止部とを挿入片の貫通孔から挿入片の内側へ差し込む。これにより、係止部が元の状態に復帰する向きに回動して挿入片の内側に係止して、蓋がロックされる。
【先行技術文献】
【特許文献】
【０００６】
【特許文献１】特開平１１−２４５９４０号公報（図４）
【発明の概要】
【発明が解決しようとする課題】
【０００７】
しかしながら、上記従来の包装箱には、係止片本体の差込部と係止部とが挿入片の貫通孔を通過できるように、係止部を折り曲げなければならないので、封緘作業に手間がかかるという問題がある。
【０００８】
そこで、本発明は、封緘作業の手間を減らすことができる包装箱を提供することを課題とする。
【課題を解決するための手段】
【０００９】
本発明の一態様は、軸方向の一方側の端に開口が画定された筒状の周壁と、前記開口を塞ぐ蓋と、前記周壁に対する閉状態に前記蓋をロックするロック部及びロック片とを備え、前記ロック部は、第１方向へ貫通する貫通孔と、前記貫通孔の縁から前記第１方向と交差する第２方向へ延在するスリットと、前記第１方向及び前記第２方向と交差する第３方向において前記スリットの一側に隣り合う第１壁部と、前記第３方向において前記スリットの他側に隣り合う第２壁部とを有し、前記ロック片は、前記貫通孔を貫通して前記周壁の内側に配置された差込部を有する本体と、前記第２方向において前記スリットが延在する向きへ前記差込部から突出し、前記スリットを通して前記周壁の内側に配置されて、前記第１壁部又は前記第２壁部に係止する係止部とを有する、包装箱を提供する。
【００１０】
この包装箱を封緘する場合、まず、周壁の軸方向の一方側の端部に設けられた開口を、蓋で閉塞する。引き続き、ロック片の差込部を、外側からロック部の貫通孔を通して周壁の内側へ差し込む。このとき、ロック片の係止部を、周壁の外側からロック部のスリットを通して周壁の内部に差し込む。これにより、周壁の内側において、ロック片の係止部がロック部の第１壁部又は第２壁部に対向する。その結果、ロック片を貫通孔から周壁の外側へ引き抜こうとしても、ロック片の係止部がロック部の第１壁部又は第２壁部に係止するので、第１壁部又は第２壁部を破かなければ、ロック片の係止部を周壁の外側に出せなくなる。すなわち、蓋がロック片の係止部でロックされる。
【００１１】
スリットは貫通孔の縁から延在するので、ロック片の差込部と係止部を周壁の内側へ差し込むとき、係止部を折り曲げなくて済む。よって、包装箱の封緘作業の手間を減らすことができる。また、ロック状態で貫通孔からロック片を無理に引き抜くと、ロック部の第１壁部又は第２壁部が破けるため、第三者による不正な開封の有無を容易に判断できる。
【００１２】
前記周壁及び前記蓋のうちの一方に第１折曲部を介して連設され、前記周壁及び前記蓋のうちの他方の内側に重ねて配置された重畳片を備え、前記ロック部は前記重畳片に設けられ、前記ロック片は前記周壁及び前記蓋のうちの前記他方に設けられている。具体的には、前記ロック部を含む前記重畳片は前記蓋に連設され、前記ロック片は前記重畳片が内側に配置される前記周壁の第１部分に設けられている。また、前記蓋は、前記周壁の前記第１部分以外の第２部分の前記一方側の端に第２折曲部を介して連設されている。
【００１３】
これらの構成によれば、ロック部にロック片を差し込むことで、周壁に対して閉状体に蓋を確実にロックできるうえ、不正な開封によって第１壁部又は第２壁部を確実に破断できる。
【００１４】
前記スリットは、前記周壁及び前記蓋のうちの前記他方によって塞がれている。
【００１５】
この構成によれば、蓋を開く向きに操作しなければ、スリットを通して係止部を周壁の外側に引き抜くことはできない。しかも、ロック部が後述する突出片を備える場合、蓋を開く向きに操作すると、突出片によって本体が回動されるため、スリットと係止部の位置を一致させることはできない。よって、第２壁部の破れの有無によって、第三者による不正開封の有無を確実に判断できる。
【００１６】
前記ロック部は、前記貫通孔の縁から前記第３方向へ突出し、前記貫通孔を貫通した前記差込部を付勢する付勢片を有する。
【００１７】
この構成によれば、ロック片の差込部が貫通孔に差し込まれると、付勢片が差込部を付勢する。これにより、ロック片の係止部が周壁の内側に差し込まれた後、ロック部のスリットに対向する位置からロック片の係止部が移動する。よって、ロック部の第１壁部又は第２壁部にロック片の係止部を確実に対向させることができる。
【００１８】
前記付勢片は、前記第２方向において前記第１壁部と隣り合う第１部分と、前記第２方向において前記第２壁部と隣り合う第２部分とを有する。より具体的には、前記付勢片は、前記貫通孔の縁において前記蓋側に位置する部分に設けられている。
【００１９】
この構成によれば、付勢片の第１部分はロック部の第１壁部に隣り合い、付勢片の第２部分はロック部の第２壁部に隣り合う。このような第１部分と第２部分があることによって、ロック片の係止部が周壁の内側に差し込まれた後、ロック部のスリットに対向する位置からロック片の係止部を確実に移動させることができる。
【００２０】
前記ロック部は、前記貫通孔の縁において前記付勢片とは反対側に位置する部分に設けられ、前記付勢片の方に突出する突出片を有し、前記付勢片側に位置する前記突出片の先端は、前記スリットに対して前記付勢片の先端側に位置する。
【００２１】
この構成によれば、蓋のロック後、蓋を開ける向きに操作をする（回動させる）と、突出片の先端がロック片の本体に当接し、蓋の開操作に応じて差込部が回動する。ロック部の第１壁部がスリットに対して蓋とは反対側に位置する一方、ロック部の第２壁部がスリットに対して蓋側に位置する場合、ロック片を貫通孔から引き抜こうとすると、ロック片の係止部がロック部の第２壁部を突き破って周壁の外側に出る。その結果、蓋のロック後、第三者によって不正に開封されたか否かは、ロック部の第２壁部の状態を見て判断することができる。
【００２２】
前記本体は、前記第２方向に間隔をあけて配置されて前記第３方向へそれぞれ延びる一対のスリットによって区画された可動部を有し、前記差込部は前記可動部の先端に設けられている。
【００２３】
この構成によれば、可動部によって差込部を回動させる自由度が高くなるため、貫通孔及びスリットを通してロック片を差し込む際の作業性を向上できる。
【発明の効果】
【００２４】
本発明によれば、包装箱の封緘作業の手間を減らすことができる。
【図面の簡単な説明】
【００２５】
【図１】本発明の第１実施形態に係る包装箱を示す斜視図。
【図２Ａ】図１の包装箱の封緘前の状態を示す斜視図。
【図２Ｂ】図２Ａの一部を拡大した斜視図。
【図３Ａ】図１の包装箱のブランクを示す平面図。
【図３Ｂ】図３Ａのロック部の拡大平面図。
【図３Ｃ】図３Ａのロック片の拡大平面図。
【図４Ａ】図２Ａの包装箱の封緘過程を示す概略断面図。
【図４Ｂ】包装箱の封緘状態を示す概略断面図。
【図５】図１の包装箱の開封方法を示す斜視図。
【図６Ａ】図１の包装箱が不正に開封される際の第１過程を示す概略断面図。
【図６Ｂ】図１の包装箱を不正に開封される際の第２過程を示す概略断面図。
【図６Ｃ】図６Ｂの包装箱の斜視図。
【図７Ａ】本発明の第２実施形態に係る包装箱のロック部を示す概略平面図。
【図７Ｂ】本発明の第２実施形態に係る包装箱のロック片を示す概略平面図。
【図８】本発明の第３実施形態に係る包装箱のロック部を示す概略平面図。
【図９】本発明の第４実施形態に係る包装箱のロック片を示す概略平面図。
【図１０】包装箱の変形例を示す分解斜視図。
【図１１】包装箱の他の変形例を示す斜視図。
【発明を実施するための形態】
【００２６】
以下、本発明の実施の形態を図面に従って説明する。
【００２７】
（第１実施形態）
図１は、本発明の第１実施形態に係る紙製の包装箱１０を示す。この包装箱１０は、四角筒状の周壁１５を備える。図２Ａを併せて参照すると、周壁１５の上端（軸方向の一方側の端）には開口１６が形成されており、この上端開口１６が上蓋２５によって塞がれている。周壁１５の下端（軸方向の他方側の端）の開口は下蓋３５によって塞がれている。
【００２８】
上蓋２５に連設された挿入片（重畳片）２７にはロック部４５が設けられ、周壁１５にはロック片６０が設けられている。ロック部４５にロック片６０を差し込むことで、挿入片２７を介して周壁１５に上蓋２５が閉状態にロックされる。このロック構造は、周壁１５の一部又は上蓋２５の一部を破断しなければ上蓋２５を開封できない構成である。
【００２９】
包装箱１０は、図３Ａに示す一枚のブランクを、所定部位で折り曲げて固着することで形成されている。ブランクは、周知の紙器打抜装置によって、紙製の段ボールシートを打ち抜いて形成されている。段ボールシートは、表ライナ（包装箱１０の外面）と裏ライナ（包装箱１０の内面）の間に波状の中しんを配設した構成である。図３Ａに一点鎖線で示す部分は、肉厚を圧縮するように裏ライナの方から罫を入れて形成した汎用罫線である。図３Ａに二点鎖線で示す部分は、肉厚を圧縮するように表ライナの方から罫を入れて形成した逆罫線である。図３Ａに実線で示す部分は、裏ライナから表ライナにかけて刃を入れて形成した切断線、及び打ち抜きによる形状線（辺や縁）である。
【００３０】
以下の説明では、図１において、包装箱１０の短手方向をＸ方向（第１方向）といい、包装箱１０の長手方向をＹ方向（第２方向）といい、包装箱１０の高さ方向をＺ方向（第３方向）という。但し、包装箱１０のＸ方向の寸法、Ｙ方向の寸法、及びＺ方向の寸法は、必要に応じて変更可能である。特に、Ｘ方向の寸法がＹ方向の寸法よりも大きく形成されてもよい。
【００３１】
図１及び図２Ａに示すように、周壁１５は、前板１７、後板１８、及び一対の側板１９を備える。前板１７と後板１８は、ＹＺ平面に沿って延びる概ね同一の四角形状であり、Ｘ方向に間隔をあけて対向配置されている。一対の側板１９は、ＸＺ平面に沿って延びる概ね同一の四角形状であり、Ｙ方向に間隔をあけて対向配置されている。前板１７、一方の側板１９、後板１８、及び他方の側板１９はそれぞれ、Ｚ方向に延びる折曲部２１を介して連設され、直交方向に延びるように折り曲げられている。
【００３２】
図３Ａを参照すると、後板１８、一方の側板１９、前板１７、及び他方の側板１９は、この順で左側から右側に連設されている。左側の端に位置する後板１８には、右側の端に位置する側板１９に貼着するための付代板２０が連設されている。一対の側板１９のうちの一方は付代板２０の貼着によって構成され、これにより連続した四角筒状の周壁１５が形成されている。後板１８と一方の側板１９との間、前板１７と一対の側板１９との間、及び後板１８と付代板２０との間には、折曲部２１を構成する折曲線２１’が形成されている。これらの折曲線２１’は、汎用罫線によって構成されている。
【００３３】
図１及び図２Ａに示すように、上蓋２５は、前板１７、後板１８、及び一対の側板１９によって画定された開口１６と概ね同一の四角形状である。上蓋２５は、Ｙ方向に延びる折曲部（第２折曲部）２６を介して、後板（周壁の第２部分）１８の上端（第１折曲部以外の縁）に連設されている。折曲部２６によって上蓋２５は、後板１８に対して回動可能である。封緘状態の上蓋２５は、ＸＹ平面に沿って延びている。
【００３４】
上蓋２５の先端には、Ｙ方向に延びる折曲部（第１折曲部）２８を介して挿入片２７が連設されている。上蓋２５の先端とは、折曲部２６（後板１８）とは反対の前板１７側に位置する上蓋２５の前縁である。封緘状態の挿入片２７は、上蓋２５に対して直交方向に折り曲げられ、前板（周壁の第１部分）１７の内側に挿入される。これにより挿入片２７は、前板１７の内面に重なり、ＹＺ平面に沿って帯状に延びている。
【００３５】
一対の側板１９の上端には、上蓋２５の内側を支持するフラップ２９が、Ｘ方向に延びる折曲部３０を介してそれぞれ連設されている。フラップ２９は、前板１７側に位置する側部に切欠部を備える概ね直角台形状である。封緘状態のフラップ２９は、側板１９に対して折曲部３０に沿って折り曲げられ、ＸＹ平面に沿って延びている。
【００３６】
図３Ａを参照すると、後板１８と上蓋２５の間には、折曲部２６を構成する折曲線２６’が設けられている。上蓋２５と挿入片２７の間には、折曲部２８を構成する折曲線２８’が設けられている。側板１９とフラップ２９の間には、折曲部３０を構成する折曲線３０’がそれぞれ設けられている。これらの折曲線２６’，２８’，３０’は、汎用罫線によって構成されている。
【００３７】
引き続いて図３Ａを参照すると、下蓋３５は、前板１７に連設された第１下フラップ３６と、一対の側板１９にそれぞれ連設された一対の第２下フラップ３７と、後板１８に連設された第３下フラップ３８とを備える。第１下フラップ３６は、先端中央に矩形状の切欠部を備える概ね凹字形状であり、折曲部３９を構成する折曲線３９ａ’を介して前板１７に連設されている。第２下フラップ３７は、第１下フラップ３６と隣接する側部に切欠部を備え、折曲部３９を構成する折曲線３９ｂ’を介して側板１９に連設されている。第３下フラップ３８は、両側に切欠部を備える概ね凸字形状であり、折曲部３９を構成する折曲線３９ｃ’を介して後板１８に連設されている。折曲線３９ａ’〜３９ｃ’はそれぞれ、汎用罫線によって構成されている。
【００３８】
以上のような基本構造を有する包装箱１０は、図３Ａに示すブランクの状態で、左側の側板１９に対して後板１８を折り曲げるとともに、前板１７に対して右側の側板１９を折り曲げる。そして、重なり合った付代板２０と側板１９とを、例えば酢酸ビニルエマルジョン系の接着剤によって貼着する。包装箱１０は、この平坦に折畳まれた状態で出荷される。
【００３９】
包装箱１０を使用する場合、周壁１５を四角筒状に広げる。続いて、前板１７に対して第１下フラップ３６を内向きに折り曲げた後、側板１９に対して第２下フラップ３７をそれぞれ内向きに折り曲げ、最後に後板１８に対して第３下フラップ３８を内向きに折り曲げる。続いて、第３下フラップ３８を周壁１５内に押し込み、第３下フラップ３８の先端の係止部３８ａを第１下フラップ３６の内面側に係止する。これにより、周壁１５の下端開口が閉塞される。
【００４０】
次に、周壁１５の上端の開口１６から物品を収容する。収容された物品によって第３下フラップ３８の先端の係止部３８ａが第１下フラップ３６の内面に圧接され、下蓋３５は開封不可能な状態になる。但し、第３下フラップ３８の係止部３８ａは、接着剤によって第１下フラップ３６の内面に貼着されてもよい。また、下蓋３５は、周壁１５を四角筒状に開くことで自動閉塞可能なワンタッチ式としてもよく、下フラップ３６〜３８の構成は必要に応じて変更が可能である。
【００４１】
物品を収容すると、側板１９に対してフラップ２９を内向きに折り曲げた後、後板１８に対して上蓋２５を折り曲げるとともに、上蓋２５に対して挿入片２７を折り曲げ、挿入片２７を前板１７の内側に挿入する。これにより、周壁１５の上端の開口１６が上蓋２５によって閉塞され、包装箱１０が封緘される。
【００４２】
（ロック構造の概要）
図２Ｂに示すように、挿入片２７にはロック部４５が設けられ、前板１７にはロック片６０が設けられている。前述のように、挿入片２７を含む上蓋２５の一部、又は周壁１５の一部を破断しなければ開封できないようにするために、ロック部４５及びロック片６０によるロック構造が設定されている。前板１７のロック片６０の下方には、正規ユーザが包装箱１０を開封するための開封部７０が設けられている。
【００４３】
図２Ｂ及び図３Ｂに示すように、ロック部４５は、貫通孔４６、一対のスリット４７、第１壁部４８、第２壁部５１、付勢片５３、及び突出片５５を備える。図２Ｂ及び図３Ｃに示すように、ロック片６０は、概ねＴ字状であり、前板１７に連設された本体６１、及び本体６１からＹ方向両側へ突出する一対の係止部６５を備える。なお、図３Ｂは、ロック部４５の拡大図であり、ロック部４５の姿勢を図２Ｂの状態と一致させるために、図３Ａに示す状態から１８０度回転させている。
【００４４】
図２Ｂ及び図３Ｂに示すように、貫通孔４６は、挿入片２７のＹ方向中央に設けられ、挿入片２７の面（ＹＺ平面）と直交するＸ方向へ貫通している。貫通孔４６は、Ｙ方向に延びる長溝であり、そのＺ方向の幅は段ボールシートの厚みよりも大きい。図３Ｂを参照すると、貫通孔４６の上縁４６ａは、折曲線２８’に対して段ボールシートの厚み分の間隔をあけた位置に設けられている。この上縁４６ａから折曲線２８’までの領域は上蓋２５を構成する。貫通孔４６は、図２Ｂ及び図３Ｂに示す非ロック状態（非封緘状態）では付勢片５３によってＹ方向の一方と他方に区画され、図１および図４Ｂに示すロック状態（封緘状態）では付勢片５３の折れ曲がりによって空間的に連通した長溝を構成する。Ｙ方向における貫通孔４６の一端から他端までの横幅Ｗａ１は、定められた距離に設定されている。
【００４５】
図２Ｂを併せて図３Ｂを参照すると、一対のスリット４７はそれぞれ、切断線からなり、貫通孔４６のＹ方向両側から折曲部２８に沿ってＹ方向外側へ延在している。スリット４７は、貫通孔４６とは反対側に位置する外端に、上蓋２５とは逆向き（下向き）に湾曲した湾曲部４７ａを備える。また、スリット４７は、貫通孔４６側に位置する内端に、概ねＶ字状に切り欠かれた切欠部４７ｂを備える。Ｙ方向におけるスリット４７の横幅Ｗｂ１、つまりＹ方向の内端から外端までのスリット４７の寸法は、定められた長さに設定されている。スリット４７を形成するＺ方向の位置（つまり折曲部２８との間隔）は前板１７の上端よりも低い。よって、図１に示す封緘状態では、スリット４７の外側が前板１７によって塞がれる。
【００４６】
第１壁部４８は、Ｚ方向においてスリット４７の下側（一側）に隣り合うように設けられている。第１壁部４８は、大略、スリット４７、切断線からなる一対のスリット４９ａ，４９ｂ、及び汎用罫線からなる折曲線５０によって画定されている。一方のスリット４９ａは、湾曲部４７ａに連続し、Ｚ方向に延びている。他方のスリット４９ｂは、切欠部４７ｂに連続し、Ｚ方向に延びている。折曲線５０は、スリット４７に対してＺ方向に間隔をあけて設けられ、スリット４９ａ，４９ｂのうちの一方の下端から他方の下端にかけてＹ方向へ延びている。この折曲線５０によって第１壁部４８は、前板１７に対してＸ方向へ回動可能である。この回動による第１壁部４８の破断を防ぐために、スリット４９ａ，４９ｂの下端には概ね半円形状の破止部が形成されている。
【００４７】
第２壁部５１は、Ｚ方向においてスリット４７の上側（他側）に隣り合うように設けられている。第２壁部５１は、折曲部２８、貫通孔４６、及びスリット４７によって三方が区画されている。これら以外の部分である第２壁部５１のＹ方向外側は、折曲線及び切断線のいずれも設けていない連続部５１ａである。この連続部５１ａによって第２壁部５１と挿入片２７は、連続した一体構造になっている。上蓋２５に対する第２壁部５１の折曲性を向上するために、第２壁部５１の上側の折曲部２８（折曲線２８’）上には、一対の切断線５２が間隔をあけて設けられている。
【００４８】
付勢片５３は、貫通孔４６の上縁（蓋側の部分）４６ａの中央から貫通孔４６内へ突出しており、貫通孔４６を貫通したロック片６０（後述する差込部６１ｃ）を下向きに付勢する。この付勢片５３は、上蓋２５側の基端よりも先端５３ａ側を狭くした等脚台形状であり、折曲部５４（汎用罫線からなる折曲線５４’）を介して上蓋２５に連設されている。貫通孔４６にロック片６０を差し込む前の状態では、付勢片５３の先端５３ａは、スリット４７を越えてＺ方向下側に位置するとともに、折曲線５０よりもＺ方向上側に位置している。つまり、付勢片５３は、Ｙ方向において第１壁部４８と隣り合う先端５３ａ側の第１部分５３ｂと、Ｙ方向において第２壁部５１と隣り合う折曲部５４側の第２部分５３ｃとを有する。
【００４９】
突出片５５は、貫通孔４６の下縁（付勢片５３とは反対側の部分）４６ｂに設けられ、上蓋２５（付勢片５３の方）に向けて概ね等脚台形状に突出している。Ｙ方向における突出片５５の両側は、第１壁部４８に対してスリット４９ｂによって区画されている。上蓋２５側に位置する突出片５５の先端５５ａは、スリット４７に対してＺ方向下側（上蓋２５とは反対側）に位置している。貫通孔４６にロック片６０を差し込む前の状態では、突出片５５の先端５５ａは、付勢片５３の先端５３ａよりもＺ方向上側に配置されている。折曲線５４’から先端５３ａまでの突出寸法（第１部分５３ｂ）を確保するために、付勢片５３は、突出片５５の先端５５ａを越える位置まで延設されている。そして、付勢片５３と突出片５５は、切断線からなるスリット５６によって区画されている。このスリット５６によって突出片５５の先端には、凹状の窪みが形成されている。
【００５０】
図２Ｂを併せて図３Ｃを参照すると、ロック片６０の本体６１は、Ｙ方向において貫通孔４６と対応する位置に設けられている。この本体６１は、前板１７に連設された可動部６１ａと、この可動部６１ａの先端に連続部６１ｂを介して連設された差込部６１ｃとを備える。連続部６１ｂと差込部６１ｃは一体構造であり、係止部６５を突設していない部分が連続部６１ｂを構成し、係止部６５を突設した部分が差込部６１ｃを構成する。
【００５１】
可動部６１ａは、一対のスリット６２によって前板１７と区画されている。一対のスリット６２はそれぞれ、切断線からなり、Ｙ方向に間隔をあけて配置され、Ｚ方向へ延びている。一対のスリット６２の下端間には、Ｙ方向に延びる折曲部６３（逆罫線からなる折曲線６３’）が設けられている。この折曲部６３によって可動部６１ａは、前板１７に対してＸ方向へ回動可能である。図１を参照すると、封緘状態の可動部６１ａは、前板１７と面一に位置し、ＹＺ平面に沿って延びている。
【００５２】
引き続いて図２Ｂを併せて図３Ｃを参照すると、連続部６１ｂは、汎用罫線からなる折曲線６４’（Ｙ方向に延びる折曲部６４）を介して可動部６１ａの上端（先端）に連設されている。前板１７においてロック片６０を形成した部分の上端には、ロック片６０の幅よりも広い幅で下向きに窪む切欠部１７ａが設けられている。折曲線６４’（つまり可動部６１ａの上端）は、前板１７の上端と切欠部１７ａの下端との間に位置するように設けられている。図４Ｂの封緘状態を参照すると、折曲部６４は、スリット４７よりも上方に位置し、貫通孔４６の上縁４６ａよりも下方に位置している。折曲部６４（折曲線６４’）によって差込部６１ｃを含む連続部６１ｂは、可動部６１ａに対して回動可能である。図１および図４Ｂを参照すると、封緘状態の連続部６１ｂは、貫通孔４６を通して挿入片２７の内外に延在している。
【００５３】
引き続いて図２Ｂを併せて図３Ｃを参照すると、差込部６１ｃは、折曲線及び切断線のいずれも介することなく連続部６１ｂの先端に連続して延設されている。図４Ｂを参照すると、封緘状態の差込部６１ｃは、貫通孔４６を貫通して周壁１５内に配置され、付勢片５３によってＺ方向下向きに付勢されている。Ｙ方向における差込部６１ｃの横幅Ｗａ２は、Ｙ方向における連続部６１ｂの横幅及び可動部６１ａの横幅と同じであり、図３Ｂに示す貫通孔４６の横幅Ｗａ１よりも小さい。但し、差込部６１ｃの横幅Ｗａ２は、貫通孔４６への差し込みを実現できる範囲で、可能な限り大きくすることが好ましい。
【００５４】
引き続いて図２Ｂを併せて図３Ｃを参照すると、一対の係止部６５はそれぞれ、差込部６１ｃの両側からＹ方向外向きに突出している。係止部６５が突出する向きは、対応するスリット４７が延在する向きと同じである。Ｙ方向における係止部６５の横幅Ｗｂ２、つまり差込部６１ｃから係止部６５の外端までの突出量は、図３Ｂに示すスリット４７の横幅Ｗｂ１よりも広い。また、Ｙ方向における一対の係止部６５の外端間の横幅（Ｗａ２＋２×Ｗｂ２）は、貫通孔４６の横幅Ｗａ１よりも広く、Ｙ方向におけるロック部４５の横幅（Ｗａ１＋２×Ｗｂ１）よりも狭い。
【００５５】
個々の係止部６５は、概ね直角台形状であり、ロック部４５にロック片６０を差し込む向きＡにおいて、前側に位置する面取り縁６５ａと、後側の端に位置する係止縁６５ｂと、これらの間に位置する側縁６５ｃとを備える。面取り縁６５ａは、向きＡの後側から前側に向かうに従ってＹ方向の外側から内側へ傾斜する直線部を備え、係止部６５の横幅Ｗｂ２を次第に狭くする。係止縁６５ｂは、第１壁部４８又は第２壁部５１に線接触するようにＹ方向に延びている。側縁６５ｃは、面取り縁６５ａの後端から係止縁６５ｂの前端にかけて、差込部６１ｃと平行に延びている。
【００５６】
係止部６５はそれぞれ、スリット４７を通して周壁１５の内側に配置される。係止部６５の厚みは切断線からなるスリット４７に溝幅よりも厚いが、挿入片２７に対して第１壁部４８が回動可能なため、スリット４７を通した係止部６５の差し込みには支障はない。また、図４Ｂ及び図６Ａに示すように、差込部６１ｃ及び連続部６１ｂを介して係止部６５は、折曲部６４を中心として回動可能である。
【００５７】
よって、係止部６５（係止縁６５ｂ）は、周壁１５に対する上蓋２５の姿勢（閉じ具合）に応じて、第１壁部４８及び第２壁部５１のいずれかに対向する位置に移動する。具体的には、図４Ｂに示すように、ＸＹ平面に沿って延びるように上蓋２５を正しい封緘姿勢とした場合、ロック部４５によって係止部６５は、第１壁部４８に当接する位置に移動する。また、図６Ａに示すように、前板１７の上端からスリット４７が露出する姿勢に上蓋２５を回動させた場合、ロック部４５によって係止部６５は、第２壁部５１に当接する位置に移動する。
【００５８】
より具体的は、図４Ｂに示す封緘状態では、ロック部４５のスリット４７は、前板１７の上端よりも下方に位置する。ロック片６０の折曲部６４は、スリット４７と貫通孔４６の上縁４６ａとの間に位置する。付勢片５３は、スリット４７を越えて下向きに突設されているため、貫通孔４６を貫通した差込部６１ｃと一緒に周壁１５内へ折れ曲がり、差込部６１ｃを下向きに付勢する。突出片５５の先端５５ａは、スリット４７よりも下方に位置するため、差込部６１ｃ及び連続部６１ｂには干渉しない。よって、折曲部６４を中心として差込部６１ｃが下向きに傾斜し、スリット４７の下側の第１壁部４８の内側に係止部６５が移動する。この状態で、ロック部４５から引き抜く向き（向きＡとは逆向き）へロック片６０を操作すると、係止部６５が第１壁部４８に係止する。
【００５９】
図６Ａに示すように、上蓋２５を開く向きに操作した場合、挿入片２７の移動によって突出片５５が連続部６１ｂの下面に当接する。前板１７の上端からスリット４７が露出する位置まで上蓋２５が操作されると、突出片５５が連続部６１ｂを上向きに押圧することで、連続部６１ｂと一緒に差込部６１ｃが折曲部６４を中心として回動する。よって、折曲部６４を中心として差込部６１ｃが上向きに傾斜し、第１壁部４８の内側から第２壁部５１の内側へと係止部６５が移動する。この状態で、ロック部４５から引き抜く向きへロック片６０を操作すると、係止部６５が第２壁部５１に係止する。
【００６０】
図１を併せて図３Ｃを参照すると、開封部７０は、ロック片６０の下方に位置するように、前板１７に設けられている。開封部７０は、半円形状の操作部７０ａと、概ね等脚台形状の破断部７０ｂとを備える。
【００６１】
操作部７０ａは、Ｙ方向において本体６１の下側に位置するように設けられている。操作部７０ａは、複数の切断線７１と、汎用罫線からなる１本の折曲線７２とで画定されている。複数の切断線７１は、隣接した切断線７１が破断によって繋がることが可能な間隔をあけて設けられており、全体として本体６１の横幅Ｗａ２よりも直径が小さい半円弧状に形成されている。折曲線７２は、折曲線６３’とＺ方向に間隔をあけて並設され、両端の切断線７１のうちの一方から他方にかけてＹ方向に延びている。
【００６２】
破断部７０ｂは、折曲線６３’，７２、及び一対の破断線７３によって画定されている。個々の破断線７３は、折曲線７２の一端と、この一端とＹ方向の同じ側に位置する一対のスリット６２のうちの一方との間に設けられている。破断線７３は、折曲線７２の端からスリット６２の下端に向けて傾斜した第１切断線７３ａ、この第１切断線７３ａに対して概ね直線状に設けられた第２切断線７３ｂ、及びこの第２切断線７３ｂの下端に設けられた第３切断線７３ｃを備える。一対の第３切断線７３ｃは、一対の第２切断線７３ｂの下端から互いに近づく内向きに屈曲し、Ｙ方向に延びている。
【００６３】
包装箱１０を封緘する場合、前述のように上蓋２５と挿入片２７を操作して、挿入片２７を前板１７の内側に挿入する。この際、図４Ａに示すように、スリット４７が前板１７の上端よりも上方に位置する状態で、上蓋２５の閉操作を一旦停止する。この状態で、前板１７に対して可動部６１ａをＸ方向外側に折り曲げるとともに、可動部６１ａに対して差込部６１ｃを含む連続部６１ｂを上向きに折り曲げる。
【００６４】
次に、差込部６１ｃを把持し、貫通孔４６に差込部６１ｃを差し込むとともに、スリット４７に係止部６５を差し込む。この際、スリット４７は貫通孔４６の縁から折曲部２８に沿って延在するので、差込部６１ｃに対して係止部６５を折り曲げなくて済む。よって、包装箱１０の封緘作業の手間を減らすことができる。
【００６５】
前板１７に対して可動部６１ａが面一に位置するまで、差込部６１ｃ及び係止部６５を差し込むと、図４Ａにおいて時計回りに上蓋２５を閉操作する。図４Ｂに示すように、後板１８及び前板１７に対して上蓋２５が直交方向に位置する姿勢まで閉操作すると、包装箱１０の封緘（ロック片６０による上蓋２５のロック）が完了する。
【００６６】
この封緘状態では、前述のように、付勢片５３によって差込部６１ｃが下向きに付勢されるため、スリット４７に対向する位置から第１壁部４８に対向する位置へ係止部６５が移動する。また、第１壁部４８の外側には前板１７が位置する。よって、図４Ｂに示す封緘状態で、ロック片６０をロック部４５から引き抜く向き（Ｘ方向外側）に操作しても、第１壁部４８及び前板１７を突き破って周壁１５の外側に係止部６５を抜き出すことはできない。つまり、ロック片６０によるロックを解除し、上蓋２５を開くこと（包装箱１０を開封すること）はできない。
【００６７】
正規ユーザが包装箱１０を開封する場合、開封部７０の操作部７０ａを指で押して、操作部７０ａを突き破る。続いて、開口させた操作部７０ａに指を差し込んで破断部７０ｂを摘まみ、Ｘ方向外向きに操作する。これにより図５に示すように、破断線７３に沿って前板１７が破断され、その破断がスリット６２に繋がる。その結果、前板１７からロック片６０が分離されるため、上蓋２５の開操作による包装箱１０の開口１６の開放が可能となる。
【００６８】
一方、正規ユーザ以外の第三者による不正開封方法は、開封部７０の操作ではなく、前述した封緘（ロック）操作とは逆の手順である。つまり、ロック片６０をロック部４５に差し込んだ状態で、図４Ｂにおいて反時計回りに上蓋２５を開操作する。前板１７の上端からスリット４７が露出すると、連続部６１ｂに指を当ててロック片６０をＸ方向外向きに回動させ、係止部６５を含む差込部６１ｃを前板１７の外側へ抜き出す。そして、内部の物品を抜き取り、再び包装箱１０を封緘する。
【００６９】
しかし、本実施形態の包装箱１０では、このような不正開封が行われた場合、第２壁部５１（連続部５１ａ）が破れるため、この破れの有無を確認することで、不正開封の有無を判断できる。よって、第三者による不正開封を自粛させることができる。
【００７０】
具体的には、図６Ａに示すように、ロック片６０をロック部４５に差し込んだ状態で上蓋２５を開方向に操作すると、前述のように、挿入片２７が上向きに移動する。この移動によって突出片５５が差込部６１ｃを時計回りに回動させるため、連動して係止部６５が上向きに移動する。
【００７１】
前板１７の上端からスリット４７が露出する位置まで上蓋２５を開操作すると、係止部６５はスリット４７を越えて第２壁部５１の内側に位置する。この状態で、ロック部４５からロック片６０を引き抜くように操作すると、係止部６５が第２壁部５１に当接（係止）する。第２壁部５１の外側には前板１７が位置しないため、無理に不正開封操作を続けると、図６Ｂ及び図６Ｃに示すように、係止部６５が第２壁部５１を突き破って周壁１５の外側に抜け出る。
【００７２】
このように、ロック状態で貫通孔４６からロック片６０を無理に引き抜くと、挿入片２７の第２壁部５１が破ける。よって、正規ユーザは、包装箱１０の開封前に、第２壁部５１の破れの有無によって、第三者による不正開封の有無を確実に判断できる。
【００７３】
ロック部４５は、第１壁部４８に隣り合う第１部分５３ｂと、第２壁部５１に隣り合う第２部分５３ｃとを有する付勢片５３を備える。よって、スリット４７から周壁１５内に差し込んだ係止部６５を、スリット４７に対向する位置から第１壁部４８に対向する位置へ確実に移動させることができる。
【００７４】
ロック部４５は、ロック状態の上蓋２５の開操作によって連続部６１ｂに当接し、上蓋２５の操作量に応じて差込部６１ｃを回動させる突出片５５を備える。そして、前板１７の上端からスリット４７が露出する状態では、突出片５５は、差込部６１ｃを介して係止部６５を第２壁部５１と対向する位置まで移動させる。よって、第三者による不正開封操作によって、第２壁部５１を確実に突き破ることができる。
【００７５】
封緘状態では、スリット４７の外側は、周壁１５の前板１７によって塞がれている。よって、上蓋２５を開操作しなければ、スリット４７を通して係止部６５を周壁１５の外側に引き抜くことはできない。しかも、上蓋２５を開操作すると、突出片５５によって本体６１が回動されるため、スリット４７と係止部６５の位置を一致させることはできない。よって、この点でも、第三者による不正開封操作によって、第２壁部５１を確実に突き破ることができ、この破れの有無によって不正開封の有無を確実に判断できる。
【００７６】
ロック片６０は、一対のスリット６２によって前板１７と区画された可動部６１ａを有し、差込部６１ｃは可動部６１ａの先端に設けられている。可動部６１ａによって差込部６１ｃを回動させる自由度が高くなるため、貫通孔４６及びスリット４７を通してロック片６０を差し込む際の作業性を向上できる。
【００７７】
（第２実施形態）
図７Ａ及び図７Ｂは、第２実施形態の包装箱に適用するロック部４５及びロック片６０を示す。第２実施形態の包装箱は、図１及び図２Ａに示す第１実施形態の包装箱と同様の基本構造を有する。
【００７８】
図７Ａに示すように、第２実施形態のロック部４５は、付勢片５３の先端部分に四角形状に突出する係止突起５３ｄを備える。この係止突起５３ｄにおいて、折曲線５４’から最も離れた部分が付勢片５３の先端５３ａである。図７Ｂに示すように、第２実施形態のロック片６０は、封緘状態で係止突起５３ｄが係止する係止孔６１ｄを備える。係止孔６１ｄはロック片６０の差込部６１ｃに設けられており、そのＹ方向の横幅は係止突起５３ｄを挿入係止可能な大きさである。
【００７９】
この第２実施形態のロック構造を適用した包装箱では、第１実施形態の包装箱と同様の作用及び効果を得ることができる。しかも、ロック部４５にロック片６０を差し込むと、付勢片５３の係止突起５３ｄがロック片６０の係止孔６１ｄに係止する。これらの係止によって、封緘後にロック片６０を操作しても、ロック部４５からロック片６０を引き抜くことはできない。よって、包装箱を不正に開封するには、上蓋２５、挿入片２７（ロック部４５）、及びロック片６０のいずれかを破るしかない。破れの有無を確認することで不正開封の有無を確実に判断できる。
【００８０】
（第３実施形態）
図８は、第３実施形態の包装箱に適用するロック部４５を示す。第３実施形態の包装箱は、図１及び図２Ａに示す第１実施形態の包装箱と同様の基本構造を有する。
【００８１】
第３実施形態のロック部４５は、上蓋２５側に位置する付勢片５３の基端（折曲線５４’側）の横幅を広くし、貫通孔４６の上縁全体から付勢片５３を突出させた点で、第１実施形態と相違する。
【００８２】
この第３実施形態の包装箱では、第１実施形態の包装箱と同様の作用及び効果を得ることができる。しかも、付勢片５３の基端を広くしているため、第１実施形態の付勢片５３と比較して、差込部６１ｃを付勢する力を大きくすることができる。
【００８３】
（第４実施形態）
図９は、第４実施形態の包装箱に適用するロック片６０を示す。第４実施形態の包装箱は、図１及び図２Ａに示す第１実施形態の包装箱と同様の基本構造を有する。
【００８４】
第４実施形態のロック片６０は、係止部６５の面取り縁６５ａの形状を変更した点で、第１実施形態のロック片６０と相違する。第４実施形態の面取り縁６５ａは、外側から内側へ傾斜する直線部を備えてなく、所定曲率（例えば半径２０ｍｍ）の円弧状（アール面取り）としている。
【００８５】
なお、本発明の包装箱１０は、前記実施形態の構成に限定されず、種々の変更が可能である。
【００８６】
例えば、ロック部４５は、貫通孔４６、スリット４７、第１壁部４８、及び第２壁部５１を備えていれば、付勢片５３及び突出片５５のうちの少なくとも一方は設けなくてもよい。突出片５５を設けずに付勢片５３を設ける場合、付勢片５３は貫通孔４６の下縁から突出されていてもよい。
【００８７】
ロック部４５のスリット４７及びロック片６０の係止部６５は、Ｙ方向（折曲部２８が延在する方向）の一方だけに設けてもよい。第１壁部４８は、スリット４９ａ，４９ｂ及び折曲線５０によって回動可能な構成としたが、これらを設けずに前板１７に一体構造としてもよい。付勢片５３の先端５３ａを突出片５５の先端５５ａよりも上方に位置させ、互いに間隔をあけて配置してもよい。
【００８８】
挿入片２７は、上蓋２５において折曲部２６と隣接する部分に折曲部２８を介して連設し、側板１９の内側に配置されてもよい。この場合、ロック片６０は、対応する側板１９に設けられる。また、挿入片２７は、一対の側板１９の内側に位置するように、上蓋２５に一対連設してもよい。
【００８９】
図１０に示すように、上蓋２５は、周壁（箱本体）１５とは別体に設けられてもよい。この場合、図示のように、ロック部４５を含む挿入片（重畳片）２７は、対向位置に一対設けられ、ロック部４５と対応するようにロック片６０も、周壁１５の対向部（前板１７と後板１８）に設けることが好ましい。
【００９０】
図１１に示すように、ロック部４５を含む挿入片（重畳片）２７を周壁１５に設け、ロック片５０を上蓋２５に設けてもよい。なお、図１１では、周壁１５に上蓋２５を一体に設けているが、この場合においても図１０に示すように、上蓋２５は周壁１５と別体に設けてもよい。
【００９１】
上蓋２５を一対のフラップによって構成し、これらのうち、一方にロック部４５を含む挿入片２７を設け、他方にロック片５０を設け、これらの係止によって周壁１５に対する閉状態に上蓋２５をロックしてもよい。
【００９２】
包装箱１０は、前板１７と一対の側板１９との間、及び／又は後板１８と一対の側板１９との間に面取り板を備える平面視八角形状又は平面視六角形状であってもよく、その形状は必要に応じて変更が可能である。
【００９３】
包装箱１０の素材は、段ボールシートに限らず、単層の厚紙であってもよい。包装箱１０の素材は、紙製に限られず、樹脂製の段ボールシート又は単層シートであってもよい。
【符号の説明】
【００９４】
１０…紙製包装箱
１５…周壁
１６…開口
１７…前板（第１部分）
１７ａ…切欠部
１８…後板（第２部分）
１９…側板
２０…付代板
２１…折曲部
２１’…折曲線
２５…上蓋（蓋）
２６…折曲部（第２折曲部）
２６’…折曲線
２７…挿入片（重畳片）
２８…折曲部（第１折曲部）
２８’…折曲線
２９…フラップ
３０…折曲部
３０’…折曲線
３５…下蓋
３６…第１下フラップ
３７…第２下フラップ
３８…第３下フラップ
３８ａ…係止部
３９…折曲部
３９ａ’〜３９ｃ’…折曲線
４５…ロック部
４６…貫通孔
４６ａ…上縁
４６ｂ…下縁
４７…スリット
４７ａ…湾曲部
４７ｂ…切欠部
４８…第１壁部
４９ａ，４９ｂ…スリット
５０…折曲線
５１…第２壁部
５１ａ…連続部
５２…切断線
５３…付勢片
５３ａ…先端
５３ｂ…第１部分
５３ｃ…第２部分
５３ｄ…係止突起
５４…折曲部
５４’…折曲線
５５…突出片
５５ａ…先端
５６…スリット
６０…ロック片
６１…本体
６１ａ…可動部
６１ｂ…連続部
６１ｃ…差込部
６１ｄ…係止孔
６２…スリット
６３…折曲部
６３’…折曲線
６４…折曲部
６４’…折曲線
６５…係止部
６５ａ…面取り縁
６５ｂ…係止縁
６５ｃ…側縁
７０…開封部
７０ａ…操作部
７０ｂ…破断部
７１…切断線
７２…折曲線
７３…破断線
７３ａ…第１切断線
７３ｂ…第２切断線
７３ｃ…第３切断線
Ｘ…Ｘ方向（第１方向）
Ｙ…Ｙ方向（第２方向）
Ｚ…Ｚ方向（第３方向）
【図１】
2020196505.tif 000003
【図２Ａ】
2020196505.tif 000004
【図２Ｂ】
2020196505.tif 000005
【図３Ａ】
2020196505.tif 000006
【図３Ｂ】
2020196505.tif 000007
【図３Ｃ】
2020196505.tif 000008
【図４Ａ】
2020196505.tif 000009
【図４Ｂ】
2020196505.tif 000010
【図５】
2020196505.tif 000011
【図６Ａ】
2020196505.tif 000012
【図６Ｂ】
2020196505.tif 000013
【図６Ｃ】
2020196505.tif 000014
【図７Ａ】
2020196505.tif 000015
【図７Ｂ】
2020196505.tif 000016
【図８】
2020196505.tif 000017
【図９】
2020196505.tif 000018
【図１０】
2020196505.tif 000019
【図１１】
2020196505.tif 000020